(57)【特許請求の範囲】
【請求項１】
作業機へ取付けるための取付装置を装着する取付装置装着部と、圧砕アームを駆動する駆動装置を装着するための平行板体状の駆動装置装着部と、基部にカッター刃を備えた一対の圧砕アームを回動可能に装着する圧砕アーム装着部とからなり、駆動装置装着部と圧砕アーム装着部との間を隔壁で仕切ってなるフレームを備えた圧砕装置において、上記隔壁を圧砕アームの回動軸に垂直な面に自由端が位置する一対の隔壁で構成したことを特徴とする圧砕装置。
【請求項２】
一対の隔壁の一方に、他方の隔壁の壁面上まで伸びて、一対の隔壁の対向面間を覆うカバー部材を設けたことを特徴とする請求項１記載の圧砕装置。
【請求項３】
一対の隔壁を段違いにし、一方の隔壁を他方の隔壁の壁面上まで延ばしたことを特徴とする請求項１記載の圧砕装置。
【請求項４】
一対の隔壁の重なり合う部分に、調整時隔壁が移動する方向に沿う長孔を設け、該長孔に挿通されたボルトと該ボルトに螺合するナットとにより、調整後一対の隔壁を締め付けるように構成したことを特徴とする請求項２又は３のいずれかに記載された圧砕装置。
【請求項５】
作業機へ取付けるための取付装置を装着する取付装置装着部と、圧砕アームを駆動するための駆動装置を装着するための平行板体状の駆動装置装着部と、基部にカッター刃を備えた一対の圧砕アームを回動可能に装着する圧砕アーム装着部とからなり、駆動装置装着部と圧砕アーム装着部との間を隔壁で仕切ってなるフレームを備えた圧砕装置において、上記隔壁が圧砕アームの回動軸に垂直な面に自由端が位置する一対の隔壁であり、上記平行板体状部間には緩衝装置が挟装されてなることを特徴とする圧砕装置。
【請求項６】
緩衝装置が、圧縮空気式緩衝装置であることを特徴とする請求項５記載の圧砕装置。
【請求項７】
一対の隔壁一方に、他方の隔壁の壁面上まで伸びて、一対の隔壁の対向面間を覆うカバー部材を設けたことを特徴とする請求項５又は６に記載の圧砕装置。
【請求項８】
一対の隔壁を段違いにし、一方の隔壁を他方の隔壁の壁面上まで延ばしたことを特徴とする請求項５又は６記載の圧砕装置。
【請求項９】
一対の隔壁の重なり合う部分に、調整時隔壁が移動する方向に沿う長孔を設け、該長孔に挿通されたボルトと該ボルトに螺合するナットとにより、調整後一対の隔壁を締め付けるように構成したことを特徴とする請求項７又は８に記載された圧砕装置。
【発明の詳細な説明】
【０００１】
【産業上の利用分野】
本発明は、鉄筋鉄骨建造物等構造物の解体に用いるカッター刃付き圧砕装置に関し、特にそれら装置に用いカッターの切断性能の適確な調整を可能にしたフレームを備えた圧砕装置に関する。
【０００２】
【従来の技術及び発明が解決しようとする課題】
上記圧砕装置やカッター装置の切断は剪断によって行っているが、剪断による切断は、開閉する一対のカッター刃のエッジ同士が協同して行っているので、一対のカッター刃同士が適切な関係にないと被切断物が一対のカッター刃間に食い込まれて適切な切断が行えないのである。
【０００３】
そこで、従来の鉄筋鉄骨建造物等の解体用の圧砕装置は、一対のカッター刃の調整が不良であったり長期使用すると圧砕アームの枢支部にがたが生じ、切断作業中圧砕アームを離間する方向に力が働きカッター刃のエッジを上下方向に広がってしまい、その結果切断が不可能になってしまったので、圧砕アームの回動軸を兼ねるボルトのナットを締付け、圧砕アーム装着部の自由端を内方に移動させることにより、一対のカッター刃の間隔調整を行っていた。
【０００４】
しかし、従来の圧砕装置にあっては、作業機へ取付けるための取付装置を装着する取付装置装着部と、圧砕アームを駆動する駆動装置を装着する駆動装置装着部と、基部にカッター刃を備えた一対の圧砕アームを回動可能に装着する圧砕アーム装着部とからなる従来の圧砕装置のフレームは、駆動装置装着部と圧砕アーム装着部との間には、圧砕物や粉塵が駆動装置内に侵入を防ぐための隔壁が存在していたので、調整するためにナットを締付けるとき、隔壁部分が圧砕アーム装着部の自由端を内方に移動させる際の屈曲点となるが、隔壁部分から回動軸までに充分な距離がとれず、短かったため多大な締付け力を必要としていた。
【０００５】
また、従来の圧砕装置は、圧砕作業中や装置の各部に振動等にもとづく過負荷が加わり圧砕性能や切断性能を低下させる一因になっていたが、それらに対して格別の対策はなされていなかった。
【０００６】
【課題を解決するための手段】
本発明は前記の課題を解決すべくなされたもので、作業機へ取付けるための取付装置を装着する取付装置装着部と、圧砕アームを駆動する駆動装置を装着するための平行板体状の駆動装置装着部と、基部にカッター刃を備えた一対の圧砕アームを回動可能に装着する圧砕アーム装着部とからなり、駆動装置装着部と圧砕アーム装着部との間を隔壁で仕切ってなるフレームを備えた圧砕装置において、上記隔壁を圧砕アームの回動軸に垂直な面に自由端が位置する一対の隔壁で構成したことを特徴とし、一対のカッター刃の接触状態を的確に調整可能とした。
また、駆動装置装着部の２枚の平行板体によって形成される空間部に緩衝装置を取付け、作業中に発生する過負荷を吸収して、振動・騒音の発生を低減し、圧砕性能や切断性能の低下を防止した。
【０００７】
すなわち本発明は下記構成の圧砕装置である。
（１）作業機へ取付けるための取付装置を装着する取付装置装着部と、圧砕アームを駆動する駆動装置を装着するための平行板体状の駆動装置装着部と、基部にカッター刃を備えた一対の圧砕アームを回動可能に装着する圧砕アーム装着部とからなり、駆動装置装着部と圧砕アーム装着部との間を隔壁で仕切ってなるフレームを備えた圧砕装置において、上記隔壁を圧砕アームの回動軸に垂直な面に自由端が位置する一対の隔壁で構成したことを特徴とする圧砕装置。
（２）一対の隔壁の一方に、他方の隔壁の壁面上まで伸びて、一対の隔壁の対向面間を覆うカバー部材を設けたことを特徴とする前項１記載の圧砕装置。
（３）一対の隔壁を段違いにし、一方の隔壁を他方の隔壁の壁面上まで延ばしたことを特徴とする前項１記載の圧砕装置。
（４）一対の隔壁の重なり合う部分に、調整時隔壁が移動する方向に沿う長孔を設け、該長孔に挿通されたボルトと該ボルトに螺合するナットとにより、調整後一対の隔壁を締め付けるように構成したことを特徴とする前項２又は３のいずれかに記載された圧砕装置。
（５）作業機へ取付けるための取付装置を装着する取付装置装着部と、圧砕アームを駆動するための駆動装置を装着するための平行板体状の駆動装置装着部と、基部にカッター刃を備えた一対の圧砕アームを回動可能に装着する圧砕アーム装着部とからなり、駆動装置装着部と圧砕アーム装着部との間を隔壁で仕切ってなるフレームを備えた圧砕装置において、上記隔壁が圧砕アームの回動軸に垂直な面に自由端が位置する一対の隔壁であり、上記平行板体状部間には緩衝装置が挟装されてなることを特徴とする圧砕装置。
（６）緩衝装置が、圧縮空気式緩衝装置であることを特徴とする前項５記載の圧砕装置。
（７）一対の隔壁一方に、他方の隔壁の壁面上まで伸びて、一対の隔壁の対向面間を覆うカバー部材を設けたことを特徴とする前項５又は６に記載の圧砕装置。
（８）一対の隔壁を段違いにし、一方の隔壁を他方の隔壁の壁面上まで延ばしたことを特徴とする前項５又は６記載の圧砕装置。
（９）一対の隔壁の重なり合う部分に、調整時隔壁が移動する方向に沿う長孔を設け、該長孔に挿通されたボルトと該ボルトに螺合するナットとにより、調整後一対の隔壁を締め付けるように構成したことを特徴とする前項７又は８に記載された圧砕装置。
【０００８】
【作用】
圧砕アームによりコンクリート部分を圧砕し、鉄筋をカッター部に導き切断する。そして、作業中鉄筋の切断が充分に行えなくなったら、圧砕アームの回動軸を兼ねるボルトに螺合されているナットを締め付け、圧砕アームの基部に設けられた一対のカッター刃のエッジが適正な位置関係になるように調整する。また、一対の隔壁がボルト・ナットで締着されている場合には、上記調整に先だってボルト・ナットを緩め、上記調整を行い、その後ボルト・ナットを締め付ける。
【０００９】
【発明の実施の形態】
以下本発明の実施の形態を、実施例により図面に基づいて説明する。
図１は、本発明実施例の圧砕装置１のフレーム２に部品を装着して組み立てた圧砕装置１の斜視図であり、図２〜図４は、本発明の各種の実施例の圧砕装置１のフレーム２の一部を切り欠き、隔壁６を現出させた斜視図である。
【００１０】
図５は、本発明の圧砕装置１を取付けた作業機の外観図であり、この作業機は、油圧ショベルをベースマシンとしており、クローラ式の走行体Ａ上に旋回装置を介して旋回体Ｂを設置し、該旋回体Ｂに多関節のフロントアタッチメントを取付け、前記フロントアタッチメントの先端に本発明の圧砕装置１を回動自在に取付けたものであり、前記フロントアタッチメントは、旋回体にピンを中心としてブームシリンダにより起伏自在に取付けられたブームＣと、該ブームＣの先端にピンを中心として上下方向に回動自在に取付けられたアームＤとからなり、油圧ショベルの場合は、アームの先端にピンを中心として掘削用バケット（図示せず）がバケットシリンダによりリンクを介して取付けられるが、本実施例では、バケットの代わりに、圧砕機が上下回動自在に取付けらたものである。
【００１１】
図１〜図４に示すごとく、本発明の圧砕装置１のフレーム２は、作業機へ取付けるための取付装置を装着する取付装置装着部３と、２枚の平行板体１４、１４からなり、圧砕アーム７、７を駆動する駆動装置を装着する駆動装置装着部４と、基部にカッター刃９、９を備えた一対の圧砕アーム７、７を回動可能に装着する圧砕アーム装着部５とからなり、平行板体１４、１４の間の側窓１５、１５には、駆動装置を圧砕物や粉塵から守るためのカバー１６、１６が着脱自在に取付けられている。
【００１２】
さらに図１に示すごとく、フレーム２には、駆動装置装着部４に油圧シリンダ２２の一端を枢支する軸２１と、圧砕アーム装着部５に圧砕アーム７を枢支する軸２３が設けられている。
【００１３】
圧砕アーム７には、一端に圧砕部と圧砕部の基部に設けられたカッター刃９が、他端に油圧シリンダ２２のピストンロッドの取付ピンが係合して、ピストンの往復運動を回転運動に変換可能に接続する長孔が設けられ、それら両者間に圧砕アーム装着部５に枢支する軸が設けられている。
【００１４】
駆動装置は、油圧シリンダ２２と該油圧シリンダ２２に圧油を供給するための配管系とで構成され、該油圧シリンダ２２の一端は上記駆動装置装着部４に設けられた軸２１により回動自在に枢着され、他端は圧砕アーム７に設けられた長孔に軸により回動自在に枢着されている。
【００１５】
圧砕装置は、図１に示すごとく、左右対向するカッターアーム７、７の開閉は、駆動装置装着部４の上部左右に設けられた上支点部２１、２１に保持された左右一対の油圧シリンダ２２、２２と、圧砕アーム装着部５の上部に左右に設けられた主支点部２３、２３に保持された左右一対の圧砕アーム７、７と、前記油圧シリンダ２２、２２のピストンロッドと前記圧砕アーム７、７のレバー端とを連結するレバー連結部と、圧砕アーム７、７の基部に設けられたカッター刃９、９のエッジ同士を噛み合わせて被切断物を切断する。
【００１６】
また、取付装置装着部の上方には対向した取付部材を突設した取付ブラケットが多数のボルトで螺着され、作業機のブームに取付けられるようになっている。
【００１７】
図２は本発明の隔壁の一実施例であり、この実施例では、駆動装置装着部４と圧砕アーム装着部５との間を仕切っている隔壁６を、フレーム内側の上壁に上部隔壁を底壁に下部隔壁を線端面が対向するように設け、上下の隔壁６１、６１間の間隙を、一方の隔壁６１に他方の隔壁６１の壁面上まで伸び、他方の隔壁６１に重なり合うカバー部材６２を設けたものである。
【００１８】
図４は本発明の他の実施例であり、一対の隔壁６１、６１を段違いにし、一方の隔壁を他方の隔壁の壁面上まで延設し、一部を重ね合わせることにより、上記実施例におけるカバー部材を不要にしたものである。
【００１９】
図５は本発明のさらに他の実施例であり、一対の隔壁６１、６１の重なり合う部分に、調整時隔壁が移動する方向に沿う長孔６５を設け、該長孔に挿通されたボルト６３、該ボルト６３に螺合するナット６４とにより、調整後一対の隔壁を締め付けるように構成した。
【００２０】
図３には緩衝装置４０も装着されている。すなわち、一対の円筒体４１、４２を摺接面間にシール部材４３…を介在させて入れ子式に組合せるとともに、円筒状胴部にねじ栓によって閉鎖されたドレイン孔４４とエアポート４５を設けて構成し、このように構成した緩衝装置は、駆動装置装着部４を構成する２枚の平行板体１４、１４間に装着され、エアポート４５を介して圧力空気源から５〜１０Ｋｇ／ｃｍ２の圧力空気が供給され、緩衝作用を行う圧縮空気式緩衝装置である。
【００２１】
以上本発明を圧砕装置に適用した実施例に基づき説明したが、本発明を実施する場合、作業機の本体やアタッチメントの構造は実施例以外の種々のものが利用でき、装着対象も、圧砕装置に限らず、切断刃を有する立木伐採用カッターのように剪断により切断する各種装置に適用できる。また、隔壁もフレームに一体に設けたものについて説明したが、別体に作成したものを溶接等により取付けてもよい。
【００２２】
【発明の効果】
本発明は以上のように構成したので、従来の圧砕装置では、駆動装置装着部と圧砕アーム装着部との間には一体の隔壁が存在し、調整する際隔壁部が屈曲支点となるので、締付点と屈曲支点との間の距離が小さいため大きな締付力を必要としたのに比べ、屈曲支点が駆動装置装着部と取付装置装着部の接続点となるので、締付点と屈曲支点との間の距離が大きくなり、小さな締付力で調整でき、その結果微細な調整が可能になり、カッターの切断性能の適確な調整が行え、しかも、駆動装置装着部と圧砕アーム装着部との間には隔壁が存在するので、従来の圧砕装置と同様に駆動装置装着部内に圧砕物や粉塵の侵入することを防ぐことができる。
【００２３】
さらに、駆動装置装着部に緩衝装置を取り付けた場合には、作業中に発生する振動や振動に伴う騒音を吸収して作業環境の改善が図られるとともに、圧砕装置の構成部品に加わる過負荷を吸収し、圧砕性能や切断性能を低下の一因となる、一対のカッター刃のエッジ部が離間することを抑制することができる。
【図面の簡単な説明】
【図１】本発明に係る実施例のフレームを使用した圧砕装置の斜視図。
【図２】本発明に係る実施例のフレームの一部を切り欠いた斜視図。
【図３】本発明に係る他の実施例のフレームの一部を切り欠いた斜視図。
【図４】本発明に係る他の実施例のフレームの一部を切り欠いた斜視図。
【図５】本発明の圧砕装置を装着した作業機の外観図。
【符号の説明】
１：圧砕装置，                ２：フレーム，
３：取付装置装着部，          ４：駆動装置装着部，
５：圧砕アーム装着部，        ６：隔壁，
７、７：圧砕アーム，          ９、９：カッター刃，
１６：カバー体，                ４０：緩衝装置
【図１】
0004041935.tif 000002
【図２】
0004041935.tif 000003
【図３】
0004041935.tif 000004
【図４】
0004041935.tif 000005
【図５】
0004041935.tif 000006